(57)【特許請求の範囲】
【請求項１】
可撓性を有し、携帯に適用するように屈曲可能なディスプレイ装置であるフレキシブルディスプレイと、
該フレキシブルディスプレイの一部分に配設され、ＩＣタグに記録された、図面データを特定するための情報を読込むリーダ部と、
電波の送受信を行うアンテナと、を有し、
前記リーダ部には、前記情報をキーとして前記図面データを抽出可能に格納したデータベースを有する外部コンピュータと通信を行う通信装置が備えられ、
建方工事現場において前記ＩＣタグから読取られた前記情報は、前記外部コンピュータに送信されるとともに、前記外部コンピュータからは、前記ＩＣタグから読取られた前記情報に対応する前記図面データを受信して、前記フレキシブルディスプレイに図面画像として表示することを特徴とする情報取得装置付きフレキシブル図面。
【請求項２】
可撓性を有し、屈曲可能なディスプレイ装置であるフレキシブルディスプレイと、
該フレキシブルディスプレイの一部分に配設され、ＩＣタグに記録された、図面データを特定するための情報を読込むリーダ部と、
電波の送受信を行うアンテナと、を有し、
前記リーダ部には、中央演算装置と、記憶装置とが少なくとも備えられており、
前記中央演算装置は、前記ＩＣタグから読取られた前記情報をキーとして、前記記憶装置に備えられたデータベースより、前記ＩＣタグから読取られた前記情報に対応するデータを抽出して、前記フレキシブルディスプレイに画像として表示することを特徴とする情報取得装置付きフレキシブル図面。
【請求項３】
前記リーダ部には、ＩＤカード認識機能が備えられており、
前記ＩＤカードの挿入を認識することを条件に、前記リーダ部の前記ＩＣタグの読取り、若しくは、前記外部コンピュータへの、前記ＩＣタグから読取られた前記情報の送信を許可することを特徴とする請求項１に記載の情報取得装置付きフレキシブル図面。
【請求項４】
前記リーダ部には、ＩＤカード認識機能が備えられており、
前記ＩＤカードの挿入を認識することを条件に、前記リーダ部の前記ＩＣタグの読取り、若しくは、前記図面データの抽出を許可することを特徴とする請求項２に記載の情報取得装置付きフレキシブル図面。
【請求項５】
前記リーダ部には、ＩＤカード認識機能が備えられており、
前記データベースは、前記ＩＤカード固有の情報に応じて複数備えられており、
前記中央演算装置は、前記ＩＤカード固有の情報を認識し、固有情報に応じたデータベースを選択して、前記ＩＣタグから読取られた前記情報に対応する図面データを抽出することを特徴とする請求項２に記載の情報取得装置付きフレキシブル図面。
【請求項６】
住宅施工のために使用される複数の図面を管理するとともに、利用するためのフレキシブル図面とＩＣタグを用いた図面管理システムであって、
該図面管理システムは、
図面を特定するための情報が記憶されたＩＣタグと、
可撓性を有し、携帯に適用するように屈曲可能なディスプレイ装置であるフレキシブルディスプレイと、該フレキシブルディスプレイの一部分に配設され、前記ＩＣタグから前記情報を読込むリーダ部と、電波の送受信を行うアンテナとを有した情報取得装置付きフレキシブル図面と、
前記複数の図面を図面データとして、前記情報によって検索可能に格納するデータベースを有する管理手段と、を備え、
前記情報取得装置付きフレキシブル図面は、建方工事現場において前記ＩＣタグから読取った前記情報を前記管理手段に送信し、前記管理手段は、前記フレキシブル図面から送信された前記情報を受信して、前記データベース内より、前記情報に対応する前記図面データを抽出して前記情報取得装置付きフレキシブル図面に送信し、前記情報取得装置付きフレキシブル図面は、前記管理手段から前記図面データを受信して、前記フレキシブルディスプレイに前記図面データを図面画像として表示することを特徴とするフレキシブル図面とＩＣタグを用いた図面管理システム。
【発明の詳細な説明】
【技術分野】
【０００１】
本発明は、現場での作業性を向上させることが可能な情報取得装置付きフレキシブル図面及び情報取得装置付きフレキシブル図面とＩＣタグを用いた図面管理システムに関する。
【背景技術】
【０００２】
建方工事の際、現場の作業員は、紙媒体の合番図等様々な図面等を参照しながら、組み立てる部材を選択して建方を行っている。
しかし、部材を接合する際には、部材の当て方向、ボルトの種類、ナットの個数等、様々な確認事項がある。
このような状況下において、これら数多い確認事項を紙媒体により確認することは非常に困難であった。
【０００３】
例えば、紙媒体の合番図には、接合部の詳細までは記載されていないため、接合部分の詳細を確認するためには、合番図とは異なる詳細図を参照しなければならない。
つまり、部材を一箇所接合するためには、少なくとも、合番図、部材リスト、接合部リストの３つの図面が必要となる。
このため、現場の作業員は、必要に応じて、これら紙媒体の図面を参照しながら建方工事を行っているのが実情である。
【０００４】
このような状況下において、図面の検索を容易にするために、サーバにより電子的に図面データを管理し、図面の検索や利用を容易にする方法が提案されている。
例えば、図面を可能な限り簡易に検索でき、必要な図面を現場で容易に取り出すことができるシステムが開発されている（例えば、特許文献１）。
特許文献１には、建築図面管理システムが開示されている。
特許文献１に記載の建築図面管理システムには、サーバとインターネット網を介して接続された現場管理端末が備えられている。
サーバには図面データが記憶されており、現場管理端末からは、そのサーバに記憶された図面データを検索して取り出すことができるため、現場において、サーバに管理された図面を参照したり修正したりすることができる。
【０００５】
【特許文献１】特開２００６−００４１０９号公報
【発明の開示】
【発明が解決しようとする課題】
【０００６】
しかし、実際の建方工事現場においては、紙媒体の図面を使用することが多い。
このような場合、建方工事の作業員は、合番図以外の図面を携帯していることは少なく、その他必要な図面は、必要となる毎に、製本された膨大な数の図面の中から探し出す必要がある。
このような状況下においては、複数の図面を見比べるため、見るべき図面又は見るべき場所を誤る可能性を排除することはできない。
【０００７】
また、図面データを管理するサーバと接続された現場用の端末を備えていたとしても、その現場に多くとも数台備えられる程度であり、検索が容易になるのみであり、結局はプリントアウトした図面を必要箇所に持ち運んで利用する必要がある。
また、ノート型等の小型端末であっても、場所自体が狭小であったり、制限の多い建方工事の現場に持ち込むのは困難である。
また、接合部の確認作業の際においても、上記と同様の手間がかかるため、ボルトの種類等を確認することに手間がかかり、無用に工数がかかるという問題が生じるとともに、ボルト種類や接合等にミスが生じることを完全に排除することができない。
【０００８】
本発明の目的は、上記各問題点を解決することにあり、膨大な数の図面から必要な図面を簡易に検索することができるとともに、検索した図面を現場で迅速に利用することができ、現場での作業性を向上させることが可能な情報取得装置付きフレキシブル図面及び情報取得装置付きフレキシブル図面とＩＣタグを用いた図面管理システムを提供することにある。
【課題を解決するための手段】
【０００９】
上記課題は、請求項１に係る発明によれば、可撓性を有し、携帯に適用するように屈曲可能なディスプレイ装置であるフレキシブルディスプレイと、該フレキシブルディスプレイの一部分に配設され、ＩＣタグに記録された、図面データを特定するための情報を読込むリーダ部と、電波の送受信を行うアンテナと、を有し、前記リーダ部には、前記情報をキーとして前記図面データを抽出可能に格納したデータベースを有する外部コンピュータと通信を行う通信装置が備えられ、建方工事現場において前記ＩＣタグから読取られた前記情報は、前記外部コンピュータに送信されるとともに、前記外部コンピュータからは、前記ＩＣタグから読取られた前記情報に対応する前記図面データを受信して、前記フレキシブルディスプレイに図面画像として表示することを特徴とすることにより解決される。
【００１０】
上記課題は、請求項６に係る発明によれば、住宅施工のために使用される複数の図面を管理するとともに、利用するためのフレキシブル図面とＩＣタグを用いた図面管理システムであって、該図面管理システムは、図面を特定するための情報が記憶されたＩＣタグと、可撓性を有し、携帯に適用するように屈曲可能なディスプレイ装置であるフレキシブルディスプレイと、該フレキシブルディスプレイの一部分に配設され、前記ＩＣタグから前記情報を読込むリーダ部と、電波の送受信を行うアンテナとを有した情報取得装置付きフレキシブル図面と、前記複数の図面を図面データとして、前記情報によって検索可能に格納するデータベースを有する管理手段と、を備え、前記情報取得装置付きフレキシブル図面は、建方工事現場において前記ＩＣタグから読取った前記情報を前記管理手段に送信し、前記管理手段は、前記フレキシブル図面から送信された前記情報を受信して、前記データベース内より、前記情報に対応する前記図面データを抽出して前記情報取得装置付きフレキシブル図面に送信し、前記情報取得装置付きフレキシブル図面は、前記管理手段から前記図面データを受信して、前記フレキシブルディスプレイに前記図面データを図面画像として表示することを特徴とすることにより解決される。
【００１１】
このように、本発明に係る情報取得装置付きフレキシブル図面及び情報取得装置付きフレキシブル図面とＩＣタグを用いた図面管理システムにおいては、現場の作業用に情報取得装置付きフレキシブル図面を使用する。
この情報取得装置付きフレキシブル図面に使用されているフレキシブルディスプレイは、可撓性があり、屈曲可能であるため、紙媒体と同様に携帯性に優れている。
例えば、紙媒体のように、筒状に丸めて携帯することができる。
よって、ノート型等の小型端末のように、携帯に困難性がなく、場所自体が狭小であるような制限の多い建方工事の現場へ、作業員が容易に持ち込むことができる。
よって、作業現場における作業員の使用に非常に有効である。
【００１２】
また、従来のように、膨大な数の紙媒体の図面から必要な図面を探す必要がないため、図面を忘れることや、図面を間違うことを防止できる。
更に、検索が容易になるのみではなく、手元に携帯している情報取得装置付きフレキシブル図面により図面を見ることができるため、現場に設置されているコンピュータからプリントアウトした図面を必要箇所に持ち運んで利用する手間を省くことができる。
また、３Ｄ機能等を活用すれば、視点を変えて、あらゆる方向から図面を確認することができるため、施工や検査が容易になるとともに、誤った施工が行われることを有効に防止することができる。
【００１３】
また、上記課題は、請求項２に係る発明によれば、可撓性を有し、屈曲可能なディスプレイ装置であるフレキシブルディスプレイと、該フレキシブルディスプレイの一部分に配設され、ＩＣタグに記録された、図面データを特定するための情報を読込むリーダ部と、電波の送受信を行うアンテナと、を有し、前記リーダ部には、中央演算装置と、記憶装置とが少なくとも備えられており、前記中央演算装置は、前記ＩＣタグから読取られた前記情報をキーとして、前記記憶装置に備えられたデータベースより、前記ＩＣタグから読取られた前記情報に対応するデータを抽出して、前記フレキシブルディスプレイに画像として表示することにより解決される。
【００１４】
このように構成されていることによって、請求項１に記載の発明に係る効果に加えて、外部コンピュータとの通信の必要がなくなり、システムを構築するための費用を低減することができる。
また、通信状態（電波状態）等を気にする必要がなくなる。
更に、情報取得装置付きフレキシブル図面毎に、格納されている図面データを変えておけば、不要なメモリーが削減できるため、処理時間を短縮することができるとともに、その情報取得装置付きフレキシブル図面を携帯する人に必要な情報のみを閲覧可能とすることができるため、情報へのアクセス制限となり、セキュリティ面にも寄与する。
【００１５】
更に、請求項１に係る発明においては、前記リーダ部には、ＩＤカード認識機能が備えられており、前記ＩＤカードの挿入を認識することを条件に、前記リーダ部の前記ＩＣタグの読取り、若しくは、前記外部コンピュータへの、前記ＩＣタグから読取られた前記情報の送信を許可するよう構成されている。
また、請求項２に係る発明においては、前記リーダ部には、ＩＤカード認識機能が備えられており、前記ＩＤカードの挿入を認識することを条件に、前記リーダ部の前記ＩＣタグの読取り、若しくは、前記図面データの抽出を許可するよう構成されている。
【００１６】
このように構成されているため、アクセス制限をかけることが可能となり、セキュリティ性を高めることができる。
つまり、不正に情報取得装置付きフレキシブル図面を入手したとしても、ＩＤカードがなければ、所謂ロックがかかり、図面データを閲覧することができない。
このため、情報へのアクセス制限となり、セキュリティ面に寄与する。
【００１７】
また、請求項２に記載の発明においては、前記リーダ部には、ＩＤカード認識機能が備えられており、前記データベースは、前記ＩＤカード固有の情報に応じて複数備えられており、前記中央演算装置は、前記ＩＤカード固有の情報を認識し、固有情報に応じたデータベースを選択して、前記ＩＣタグから読取られた前記情報に対応する図面データを抽出するよう構成されている。
このように構成されているため、検索時間を短縮することができ、全体の処理時間もまた短縮される。
更に、そのＩＤカードを携帯する人に必要な情報のみしか閲覧することができないため、情報へのアクセス制限となり、セキュリティ面に寄与する。
【発明の効果】
【００１８】
本発明によれば、現場の作業用に情報取得装置付きフレキシブル図面を使用することができる。
つまり、この情報取得装置付きフレキシブル図面に使用されているフレキシブルディスプレイは、可撓性があり、屈曲可能であるため、紙媒体と同様に携帯性に優れているため（例えば、紙媒体のように、筒状に丸めて携帯することができる）、携帯に困難性がなく、場所自体が狭小であるような制限の多い建方工事の現場へ、作業員が容易に持ち込むことができる。
よって、作業現場における作業員の使用に非常に有効である。
【００１９】
また、従来のように、膨大な数の紙媒体の図面から必要な図面を探す必要がないため、図面を忘れることや、図面を間違うことを防止できる。
更に、手元に携帯している情報取得装置付きフレキシブル図面により図面を見ることができるため、現場に設置されているコンピュータからプリントアウトした図面を必要箇所に持ち運んで利用する手間を省くことができる。
このため、作業性が向上し、工数を低減させることができる。
また、ＩＤカードを併用することによって、ロック機能やアクセス制限をかけることができるため、セキュリティ面もまた同時に実現することができる。
【発明を実施するための最良の形態】
【００２０】
以下、本発明の一実施形態を図面に基づいて説明する。
なお、以下に説明する構成は本発明を限定するものでなく、本発明の趣旨の範囲内で種々改変することができるものである。
図１乃至図１５は、本発明の一実施形態を示すものであり、図１はフレキシブル図面の説明図、図２は図面管理システムの構成図、図３は図面管理コンピュータのハード構成図、図４はリーダ部のハード構成図、図５乃至図１０はフレキシブル図面を用いた接合部の確認作業を示す説明図、図１１は図面表示例を示す説明図、図１２はセキュリティの説明図、図１３は現場コンピュータの処理を示すフローチャート、図１４は図面管理コンピュータの処理を示すフローチャート、図１５はリーダ部の処理を示すフローチャートである。
【００２１】
本実施形態は、膨大な数の図面から必要な図面を簡易に検索することができるとともに、検索した図面を現場で迅速に利用することができ、現場での作業性を向上させることが可能な情報取得装置付きフレキシブル図面及び情報取得装置付きフレキシブル図面とＩＣタグを用いた図面管理システムに関するものである。
本実施形態において、「コンピュータ」とは、演算装置を備えた情報端末全てを含む意味である。
例えば、スーパーコンピュータ、汎用コンピュータ、オフィスコンピュータ、制御用コンピュータ、ワークステーション、パソコンのほか、携帯情報端末、演算装置を備えた携帯電話等をも含む。
【００２２】
なお、本実施形態においては、情報通信網としてインターネット回線を使用しているが、ＬＡＮ、ＷＡＮによりコンピュータを接続したプライベートの情報通信網、専用線による通信、携帯端末の公衆情報通信網、その他の公衆情報通信網によるものであってもよい。
【００２３】
本実施形態において、「ＩＣタグ」とは、データを記録するＩＣチップと、電波の送受信を行うアンテナとが一体化された電子コンポーネントである。
また、特にＩＣタグの種類は限定されるものではなく、アクティブ型、パッシブ型等どのようなタイプのものであっても包含する概念である。
【００２４】
図１は、本実施形態に係る情報取得装置付きフレキシブル図面１（以下、単に「フレキシブル図面１」と記す）を示すものである。
本実施形態に係るフレキシブル図面１は、フレキシブルディスプレイ１１、リーダ部１２、アンテナ部１３を有して構成されている。
本実施形態に係るフレキシブルディスプレイ１１は、略矩形状の映像表示装置である。
本実施形態に係るフレキシブルディスプレイ１１は、低温ポリシリコンＴＦＴ液晶ディスプレイであり、薄型で可撓性があり屈曲可能であるとともに、曲面表示が可能である。
換言すれば、紙媒体と同様に扱うことが可能であるとともに、各データを液晶面に画像表示することができる。
【００２５】
本実施形態に係るリーダ部１２は、ＩＣタグリーダであり、ＩＣタグ２内部のＩＣチップに記録されたデータを、非接触で読取ることができる。
また、このリーダ部１２は、現場コンピュータ２１と無線接続されており、データの送受信を行うことができるよう構成されている。
なお、本実施形態では、現場コンピュータ２１がホストとなり、管理を行っているが、構成はこれに限られるものではなく、リーダ部１２に、小型ＣＰＵ及び小型ＨＤＤ等のコンピュータ機能を搭載し、ＩＣタグ２から読取った情報が指定するデータを処理して、フレキシブルディスプレイ１１上に表示するアプリケーションを実行させるよう構成されていてもよい。なお、この場合のハード構成等は後述する。
更に、本実施形態に係るアンテナ部１３は、電波送受信用のアンテナであり、フレキシブルディスプレイ１１の外周部に沿って配設される。
【００２６】
図２により、本実施形態に係る、情報取得装置付きフレキシブル図面とＩＣタグを用いた図面管理システムＳ（以下、単に「図面管理システムＳ」と記す）の構成を説明する。
本実施形態に係る図面管理システムＳは、フレキシブル図面１と、ＩＣタグ２と、現場コンピュータ２１と、図面管理コンピュータ２２とを有して構成されている。
本実施形態にかかるフレキシブル図面１及びＩＣタグ２は上述したとおりの構成であり、ＩＣタグ２には、貼付されている部位を施工するために必要な図面を特定するデータ（例えば、図面のＩＤ等）が記録されている。
【００２７】
また、現場コンピュータ２１は、建方現場Ｇに設置されているコンピュータであり、フレキシブル図面１に備えられたリーダ部１２が読取ったＩＣタグ２のデータを受信して処理するためのアプリケーションが組み込まれている。
現場コンピュータ２１は、必要なデータを必要な形で保管及び情報処理し、インターネット回線２０を通じて、外部のコンピュータと通信を行う。
【００２８】
更に、本実施形態における図面管理コンピュータ２２は、図面管理システムＳにおいて図面データを統括管理するためのコンピュータであり、例えば、住宅供給業者Ｋ内の図面管理を行う部門等に設置される。
なお、本実施形態に係る住宅供給業者とは、住宅及び住宅関連商品等の受注、販売、建築等、住宅に関する業務を総合的に行う。
また、本実施形態では、住宅供給業者を、一般的な住宅建築販売メーカーで構成しているが、設計事務所、住宅建築販売メーカーから委託された業者として構成してもよい。
【００２９】
この図面管理コンピュータ２２は、インターネット回線２０を介して、現場コンピュータ２１と接続されており、図面データを格納するデータベース２２ａが備えられている。
本実施形態に係る図面管理コンピュータ２２は、汎用コンピュータであり、その構成は後述する。
【００３０】
なお、本実施形態における図面管理コンピュータ２２は、住宅供給業者内の設計部門等に備えられる、所謂ＣＡＤシステム（Computer Aided Design System）と称される設計コンピュータ（図示しない）等と接続されており、これら設計コンピュータで作成された図面が蓄積されて管理されている。
【００３１】
以上のように、本実施形態においては、フレキシブル図面１に備えられたリーダ部１２により、ＩＣタグ２に記録されたデータ（必要な図面を特定するデータ）が読出され、現場コンピュータ２１に無線送信される。
現場コンピュータ２１は、当該データを受信すると、そのデータを図面要求信号とともに、インターネット回線２０を介して、図面管理コンピュータ２２へと送信する。
【００３２】
図面管理コンピュータ２２は、ＩＣタグ２から読取られたデータと図面要求信号を受けて、ＩＣタグ２から読取られたデータ（必要な図面を特定するデータ）に該当する図面データを検索及び抽出し、インターネット回線２０を介して現場コンピュータ２１へ送信する。
現場コンピュータ２１は、図面データを受信すると、その図面データを、必要であればフレキシブルディスプレイ１１に図面表示可能なデータ形式に変換して、フレキシブル図面１に送信する。
このように、本実施形態においては、ＩＣタグ２に記録されたデータ（必要な図面を特定するデータ）を読取ることにより、フレキシブルディスプレイ１１に図面を表示することができる。
【００３３】
なお、本実施形態においては、上記システム構成を例示したが、このシステム構成は一例であり、これに限られるものではない。
例えば、図面管理コンピュータ２２を使用することなく、現場コンピュータ２１に所謂サーバとしての機能を持たせてもよい。
この場合には、フレキシブル図面１と現場コンピュータ２１の通信のみで、フレキシブルディスプレイ１１への図面表示が完結する。
【００３４】
また、リーダ部１２に、小型ＣＰＵ及び小型ＨＤＤ等のコンピュータ機能を搭載し、ＩＣタグ２から読取った情報が指定するデータを処理して、フレキシブルディスプレイ１１上に表示するアプリケーションを実行させるよう構成されていてもよい。
この場合には、フレキシブル図面１のみで、フレキシブルディスプレイ１１への図面表示が完結する。
【００３５】
このように構成することにより、システムを構築するためのコストを低減することができる。
また、フレキシブル図面１毎に、格納されている図面データを変えておけば、不要なメモリーが削減できるため、処理時間を短縮することができる。
更に、そのフレキシブル図面１を携帯する人に必要な情報のみを閲覧可能とすることができるため、情報へのアクセス制限となり、セキュリティ面にも寄与する。
なお、この場合のハード構成等は後述する。
【００３６】
次いで、図３により本実施形態に係る図面管理コンピュータ２２のハード構成について説明する。
なお、現場コンピュータ２１のハード構成も、この図面管理コンピュータ２２のハード構成と同様であるため説明は省略する。
また、図面管理コンピュータ２２を使用することなく、現場コンピュータ２１に所謂サーバとしての機能を持たせる場合には、現場コンピュータ２１のハード構成は、図面管理コンピュータ２２のハード構成と同様のものとすればよい。
本実施形態に係る図面管理コンピュータ２２は、汎用コンピュータであり、図３に示すように、ＣＰＵ３２、ＨＤＤ３３、ＲＡＭ３４、ＲＯＭ３５、記憶媒体装置３７、通信装置３６を有して構成されている。
【００３７】
ＣＰＵ３２は、データの演算・制御を行う中央演算処理装置であり、ＲＡＭ３４、ＲＯＭ３５、ＨＤＤ３３及び記憶媒体装置３７は、記憶装置である。
ＣＰＵ３２は、ＲＯＭ３５又はＨＤＤ３３に記憶されているプログラムにしたがって各種の処理を実行するようになされ、各機能構成群の動作管理や各信号の入出力制御など、所定の処理を実行するための中枢的役割を担うものである。
ＲＡＭ３４には、ＣＰＵ３２が各種処理を実行する上において必要なデータなどが適宜記憶される。
【００３８】
記憶媒体装置３７は、外付けハードディスク、光磁気ディスク、ＣＤ−Ｒ、ＤＶＤ、メモリスティック等により構成されている。
通信装置３６は、インターネット回線２０に対してデータを送信し、またインターネット回線２０を介して受信されたデータを適宜記憶する。
例えば、ＨＤＤ３３には、各種図面データが格納されたデータベース２２ａが備えられており、このデータベース２２ａのファイルには、各種図面データが、ＩＤ番号毎のレコードとして格納されている。
このデータベース２２ａの構成及びファイル構成は、これに限られることはなく、本発明の趣旨を逸脱することなく、ＩＣタグ２から読取った情報により、必要な図面等を抽出することのできる構成であればどのような構成であってもよい。
例えば、ファイルが複数備えられており、どのファイルの情報を読取るかを示す情報をＩＣタグ２に格納させてもよい。
つまり、一のファイルには詳細図のような図面がＩＤ番号毎のレコードとして格納されるとともに、他のファイルに、例えば位置情報図（読取ったＩＣタグ２が貼設された部材の位置が全体図の中のどの位置にあるかを示す図）のような図面が格納されており、この位置情報図もまた、抽出することができるように構成されていてもよい。
換言すれば、ファイルの数、格納する図面及び帳票等の種類、及び構成等は公知の手法で実現可能なものであり、技術の適用の際に、適宜構築される設計事項に係るものである。
【００３９】
次いで、図４により、小型ＣＰＵ及び小型ＨＤＤ等のコンピュータ機能を搭載し、ＩＣタグ２から読取った情報が指定するデータを処理して、フレキシブルディスプレイ１１上に表示するアプリケーションを実行させるよう構成されたリーダ部１２のハード構成図について説明する。
リーダ部１２は、図４に示すように、ＣＰＵ１３２、ＨＤＤ１３３、ＲＡＭ１３４、ＲＯＭ１３５、記憶媒体装置１３７、リーダ装置１２１を有して構成されている。
【００４０】
ＣＰＵ１３２は、データの演算・制御を行う中央演算処理装置であり、ＲＡＭ１３４、ＲＯＭ３１５、ＨＤＤ１３３及び記憶媒体装置１３７は、記憶装置である。
ＣＰＵ１３２は、ＲＯＭ１３５又はＨＤＤ１３３に記憶されているプログラムにしたがって各種の処理を実行するようになされ、各機能構成群の動作管理や各信号の入出力制御など、所定の処理を実行するための中枢的役割を担うものである。
ＲＡＭ１３４には、ＣＰＵ１３２が各種処理を実行する上において必要なデータやアプリケーションなどが適宜記憶される。
【００４１】
記憶媒体装置１３７は、外付けハードディスク、光磁気ディスク、ＣＤ−Ｒ、ＤＶＤ、メモリスティック等により構成されている。
リーダ装置１２１は、ＩＣタグ２に搭載されたＩＣチップに記録されたデータを読取るためのものである。
ＨＤＤ１３３には、各種図面データが格納されたデータベース１２２ａが備えられており、このデータベース１２２ａのファイルには、各種図面データが、ＩＤ番号毎のレコードとして格納されている。
【００４２】
次いで、図５乃至図１０により、本実施形態に係るフレキシブル図面１を用いた接合部の確認作業の工程を説明する。
図５に示すように、まず、接合部に配設されたＩＣタグ２ａを、フレキシブル図面１に備えられたリーダ部１２により読取る。
このようにして読取られたＩＣタグ２ａに記録された図面ＩＤは、現場コンピュータ２１へと送信される。
【００４３】
上述したように、この図面ＩＤは、図面データ送信指令とともに、インターネット回線２０を介して、図面管理コンピュータ２２へと送信される。
図面管理コンピュータ２２では、この図面ＩＤに相当する図面データを、データベース２２ａより検索及び抽出して、インターネット回線２０を介して、この検索及び抽出した図面データを現場コンピュータ２１へと送信する。
【００４４】
現場コンピュータ２１では、受信した図面データを（必要であれば、フレキシブル図面１で表示可能なデータ形式に変換して）、フレキシブル図面１へ送信する。
このようにして、フレキシブル図面１のフレキシブルディスプレイ１１には、図面の画像が表示される。
【００４５】
図６に、フレキシブルディスプレイ１１に表示された図面画像の一例を示す。
このように、接合箇所の立体図と、部材や部品の品番等が表示される。
作業者は、このフレキシブルディスプレイ１１に表示された画像を見て、接合部の部材（本例では、ガゼットプレート）の品番が正しい仕様となっているか否か、及び接合する部材の合番を確認する。
作業者は、確認した合番を基に部材を配置する。
つまり、このフレキシブルディスプレイ１１に表示された画面は、合番図として機能する。
【００４６】
また、次に、図７に示すように、被接合部材の配設されているＩＣタグ２ｂをフレキシブル図面１に備えられたリーダ部１２により読取る。
このようにして読取られたＩＣタグ２ｂに記録された図面ＩＤは、現場コンピュータ２１へと送信される。
【００４７】
上述したように、この図面ＩＤは、図面データ送信指令とともに、インターネット回線２０を介して、図面管理コンピュータ２２へと送信される。
図面管理コンピュータ２２では、この図面ＩＤに相当する図面データを、データベース２２ａより検索及び抽出して、インターネット回線２０を介して、この検索及び抽出した図面データを現場コンピュータ２１へと送信する。
【００４８】
現場コンピュータ２１では、受信した図面データを（必要であれば、フレキシブル図面１で表示可能なデータ形式に変換して）、フレキシブル図面１へ送信する。
このようにして、フレキシブル図面１のフレキシブルディスプレイ１１には、図面の画像が表示される。
【００４９】
図８に、このときフレキシブルディスプレイ１１に表示された図面画像の一例を示す。
このように、フレキシブルディスプレイ１１には、接合箇所の詳細図が表示される。
詳細図には、使用するボルトの種類等（図８では「●●●」で示される）が表示されており、作業者は、これらの情報を確認しながら、接合作業を実施する。
【００５０】
このようにして、接合作業が終了した時点での接合部分の斜視図を図９に示す。
この時点で、この接合部分と、フレキシブルディスプレイ１１に表示されている画像（図１０）とを比較することによって、正しく接合ができているか否かの確認作業を行う。
このように、作業員が携帯可能なフレキシブル図面１を使用することにより、確認作業もまた簡易に実行することができる。
【００５１】
また、図１１に示すように、フレキシブル図面１は、紙媒体ではないため、拡大表示及び縮小表示が可能であるとともに（図１１（ａ）参照）、平面図としても表示が可能である（図１１（ｂ）参照）。
また、３Ｄ表示機能を持たせることによって、図１１（c）に示すように、視点を変えた立体表示を行うことができ、他方向からの収まりを確認することができる。
【００５２】
更に、本実施形態においては、ＩＤカードを併用することで、セキュリティ面を充実させることも可能である。
特に、フレキシブル図面１そのものに、コンピュータ機能を持たせて全図面データを格納した場合（つまり、現場コンピュータ２１及び図面管理コンピュータ２２とのデータ通信が不要とした構成の場合）、セキュリティ管理が有効となる。
例えば、フレキシブル図面１を不正に取得した者が、図面データを閲覧することを有効に防止することができる。
【００５３】
このように、セキュリティ面を充実させるために、フレキシブル図面１のリーダ部１２に、公知のＩＤカード装置が備えられているとよい。
このような実施形態としては、ＩＤカードを挿入しなければ（つまりＩＤカードを認識することができなければ）、図面データを読出せないようにロック機能を設ける形態が考えられる。
【００５４】
また、ＩＤカードを数種類準備し、そのＩＤカードの種類に応じて、図面データ等のデータへのアクセス範囲を限定することもできる。
つまり、同じＩＣタグ２を読取った場合であっても、挿入されているＩＤカードの種類に応じて、アクセスできるデータの範囲に制限を設ける（換言すれば、異なったデータにアクセスすることができるように制限する）ことができる。
【００５５】
具体的には、図１２（ａ）に示すように、設備図ＩＤカードを挿入した場合には、設備図のみにアクセスできるように制限をかけるとともに、図１２（ｂ）に示すように、建方検査表ＩＤカードを挿入した場合には、建方検査帳票のデータのみにアクセスできるように構成することができる。
このように、アクセスを制限することによって、開示範囲を管理して、情報の流出範囲を限定することができるとともに、検索元のデータを細分することができるため、検索時間も短くなり、より機能的にフレキシブル図面１を使用することができる。
また、建方検査帳票を画面表示した場合には、キー入力やタッチペン入力等により、建方検査帳票に検査結果を入力することができるように構成されている。
このため、検査結果を簡易に記録することができるとともに、検査漏れが生じることを有効に防止することができる。
【００５６】
更に、その他のセキュリティ設備も併用するとより有効である。
つまり、指紋認証、静脈認証、光彩認証等の生体認証を併用することによって、データにアクセスできる人を制限することができる。
また、これらのアクセス履歴を保存することによって、よりセキュリティ面を高めることができる。
また、このフレキシブル図面１にＵＳＢポートを設けておけば、プリンタへ接続して、表示されている図面を紙媒体へ打出すことができる。
【００５７】
次いで、図１３により、現場コンピュータ２１の処理について説明する。
図１３は、現場コンピュータ２１の処理の流れを示すフローチャートであり、この処理は、図示しないＣＰＵにより制御される。
まず、現場コンピュータ２１に外部からのアクセスがあったことを条件として、図１３の処理はスタートする。
【００５８】
外部からのアクセスがあると、ステップＳ１で、そのアクセスがフレキシブル図面１からのアクセスであるか否かを判定する。
ステップＳ１で、認識したアクセスがフレキシブル図面１からのアクセスであると判定した場合（ステップＳ１：Ｙｅｓ）、ステップＳ２で、受信した図面ＩＤ（ＩＣタグ２から読出したもの）と図面送信指令信号を図面管理コンピュータ２２へ送信して処理を終了する。
【００５９】
ステップＳ１で、認識したアクセスがフレキシブル図面１からのアクセスではないと判定した場合（ステップＳ１：Ｎｏ）、このアクセスは図面管理コンピュータ２２からのアクセスであると判断できる。
この場合、ステップＳ３で、このアクセスがエラー信号の受信であるか否かを判定する。
ステップＳ３で、認識したアクセスがエラー信号の受信であった場合（ステップＳ３：Ｙｅｓ）、ステップＳ４でエラー信号をフレキシブル図面１へ送信して処理を終了する。
【００６０】
また、ステップＳ３で、このアクセスがエラー信号の受信ではないと判定した場合（ステップＳ３：Ｎｏ）、このアクセスは図面管理コンピュータ２２からの図面データの受信であると判断できるため、ステップＳ５で、受信した図面データをフレキシブル図面１へ送信して処理を終了する。
なお、図面データをフレキシブルディスプレイ１１に表示可能な形式に変換する必要がある場合には、ステップ４でＹｅｓの判断後、ステップ５の処理を行う前に行う。
【００６１】
また、ロック機能を実行する際には、ＩＤカードの挿入がなければリーダ部１２が作動しないように構成してもよいし、ステップＳ２の前に「ＩＤカード挿入有りか否か」の判定を加えて、ＩＤカードの挿入がない場合には、その後の処理を遮断するように構成してもよい。
つまり、ステップＳ２の後に、ＩＤカードが認識できなかった場合には、図面管理コンピュータ２２への図面ＩＤの送信を中止するように構成するとよい。
また、フレキシブル図面１側で、ＩＤカードを認識することができなければ、リーダ部１２の作動をロックしたり、図面ＩＤの現場コンピュータへの送信を遮断するように構成されていてもよい。
【００６２】
次いで、図１４により、図面管理コンピュータ２２の処理について説明する。
図１４は、図面管理コンピュータ２２の処理の流れを示すフローチャートであり、この処理は、ＣＰＵ３２により制御される。
まず、図面管理コンピュータ２２に外部からアクセスがあったことを条件として、図１４の処理はスタートする。
【００６３】
外部からアクセスがあると、ステップＳ１１で、要求された図面ＩＤがデータベース２２ａ内に存在するか否かを判定する。
ステップＳ１１で、要求された図面ＩＤがデータベース２２ａ内に存在しないと判定した場合（ステップＳ１１：Ｎｏ）、ステップＳ１２で、エラー信号を現場コンピュータ２１へ送信して処理を終了する。
【００６４】
要求された図面ＩＤがデータベース２２ａ内に存在すると判定した場合（ステップＳ１１：Ｙｅｓ）、ステップＳ１３で、データベース２２ａ内を検索して、受信した図面ＩＤに相当する図面データを抽出する。
次いで、ステップＳ１４で抽出した図面データを現場コンピュータ２１へ送信して処理を終了する。
なお、ＩＤカードによるセキュリティチェックを行う際には、ステップＳ１３の前に、セキュリティチェックの処理を加えるとよい。
つまり、セキュリティチェックの処理で、検索場所を振分けたり、「アクセス許可有りか否か」の判定を加えて、要求された図面ＩＤが存在していても、アクセス許可のないもののアクセスを拒否するように構成するとよい。
【００６５】
次いで、図１５により、フレキシブル図面１のリーダ部１２に、小型ＣＰＵ及び小型ＨＤＤ等のコンピュータ機能が搭載され、ＩＣタグ２から読取った情報が指定するデータを処理して、フレキシブルディスプレイ１１上に表示するよう構成されている場合の処理について説明する。
図１５は、フレキシブル図面１に搭載されたリーダ部１２の処理の流れを示すフローチャートであり、この処理は、ＣＰＵ１３２により制御される。
まず、フレキシブル図面１の電源がオンされたこと、若しくは、直近の図面表示が終了したことを条件として、図１５の処理はスタートする。
【００６６】
ステップＳ２１で、ＩＣタグ２より図面ＩＤを受信したか否かを判定する。
ＩＣタグ２より図面ＩＤを受信していないと判定した場合（ステップＳ２１：Ｎｏ）、ステップＳ２２で、所定時間が経過したか否かを判定する。
ステップＳ２２で所定時間が経過していないと判定した場合（ステップＳ２２：Ｎｏ）、処理は、ステップＳ２１へ戻り、ＩＣタグ２より図面ＩＤを受信したか否かを判定する。
ステップＳ２２で所定時間が経過したと判定した場合（ステップＳ２２：Ｙｅｓ）には、何らかの理由で電源がオンになった可能性や消し忘れの可能性があるため、処理を終了して電源を自動的にオフする。
【００６７】
ＩＣタグ２より図面ＩＤを受信したと判定した場合（ステップＳ２１：Ｙｅｓ）、ステップＳ２３で、要求された図面ＩＤがデータベース１２２ａ内に存在するか否かを判定する。
ステップＳ２３で、要求された図面ＩＤがデータベース１２２ａ内に存在しないと判定した場合（ステップＳ２３：Ｎｏ）、ステップＳ２４でエラー信号を発生して、ステップＳ２５でフレキシブルディスプレイ１１にエラー表示を行い、処理を終了する。
【００６８】
要求された図面ＩＤがデータベース１２２ａ内に存在すると判定した場合（ステップＳ２３：Ｙｅｓ）、ステップＳ２６で、データベース１２２ａ内を検索して、受信した図面ＩＤに相当する図面データを抽出する。
次いで、ステップＳ２７で抽出した図面データをデータ処理して、フレキシブルディスプレイ１１に表示可能な形式に変換する（このステップは必要であれば実行される）。
次いで、ステップＳ２８で、フレキシブルディスプレイ１１に図面を表示して処理を終了する。
【００６９】
なお、ＩＤカードによるセキュリティチェックを行う際には、ステップＳ２６の前に、セキュリティチェックの処理を加えるとよい。
つまり、セキュリティチェックの処理で、検索場所を振分けたり、「アクセス許可有りか否か」の判定を加えて、要求された図面ＩＤが存在していても、アクセス許可のないもののアクセスを拒否するように構成するとよい。
また、ロック機能を実行する際には、ステップＳ２１の前に「ＩＤカード挿入有りか否か」の判定を加えて、ＩＤカードの挿入がない場合には、その後の処理を遮断するように構成してもよいし、ＩＤカードの挿入がなければリーダ部１２が作動しないように構成してもよい。
【００７０】
以上のように、本実施形態においては、現場の作業用にフレキシブル図面１を使用することができる。
このフレキシブル図面１に使用されているフレキシブルディスプレイ１１は、可撓性があり、紙媒体と同様に携帯性に優れている。
例えば、紙媒体のように、筒状に丸めて形態することができる。
よって、作業現場における作業員の使用に非常に有効である。
【００７１】
また、従来のように、膨大な数の紙媒体の図面から必要な図面を探す必要がないため、図面を忘れることや、図面を間違うことを防止できる。
更に、３Ｄを活用すれば、視点を変えて、あらゆる方向から図面を確認することができるため、施工や検査が容易になるとともに、誤った施工が行われることを有効に防止することができる。
また、検査帳票等もまた表示されて入力を行うことができるため、検査結果を簡易に入力できるとともに、検査漏れを有効に防止することができる。
更に、ＩＤカードを併用することにより、セキュリティ性を高めることも容易である。
【図面の簡単な説明】
【００７２】
【図１】本発明の一実施形態に係るフレキシブル図面の説明図である。
【図２】本発明の一実施形態に係る図面管理システムの構成図である。
【図３】本発明の一実施形態に係る図面管理コンピュータのハード構成図である。
【図４】本発明の一実施形態に係るリーダ部のハード構成図である。
【図５】本発明の一実施形態に係るフレキシブル図面を用いた接合部の確認作業を示す説明図である。
【図６】本発明の一実施形態に係るフレキシブル図面を用いた接合部の確認作業を示す説明図である。
【図７】本発明の一実施形態に係るフレキシブル図面を用いた接合部の確認作業を示す説明図である。
【図８】本発明の一実施形態に係るフレキシブル図面を用いた接合部の確認作業を示す説明図である。
【図９】本発明の一実施形態に係るフレキシブル図面を用いた接合部の確認作業を示す説明図である。
【図１０】本発明の一実施形態に係るフレキシブル図面を用いた接合部の確認作業を示す説明図である。
【図１１】本発明の一実施形態に係る図面表示例を示す説明図である。
【図１２】本発明の一実施形態に係るセキュリティの説明図である。
【図１３】本発明の一実施形態に係る現場コンピュータの処理を示すフローチャートである。
【図１４】本発明の一実施形態に係る図面管理コンピュータの処理を示すフローチャートである。
【図１５】本発明の一実施形態に係るリーダ部の処理を示すフローチャートである。
【符号の説明】
【００７３】
１  フレキシブル図面
２，２ａ，２ｂ  ＩＣタグ
１１  フレキシブルディスプレイ
１２  リーダ部
１３  アンテナ
２１  現場コンピュータ
２２  図面管理コンピュータ
２２ａ，１２２ａ  データベース
２０  インターネット回線
３２，１３２  ＣＰＵ
３３，１３３  ＨＤＤ
３４，１３４  ＲＡＭ
３５，１３５  ＲＯＭ
３６  通信装置
３７，１３７  記憶媒体装置
１２１  リーダ装置
Ｇ  建方現場
Ｋ  住宅供給業者
Ｓ  図面管理システム
【図１】
0005436781.tif 000002
【図２】
0005436781.tif 000003
【図３】
0005436781.tif 000004
【図４】
0005436781.tif 000005
【図５】
0005436781.tif 000006
【図６】
0005436781.tif 000007
【図７】
0005436781.tif 000008
【図８】
0005436781.tif 000009
【図９】
0005436781.tif 000010
【図１０】
0005436781.tif 000011
【図１１】
0005436781.tif 000012
【図１２】
0005436781.tif 000013
【図１３】
0005436781.tif 000014
【図１４】
0005436781.tif 000015
【図１５】
0005436781.tif 000016